(57)【要約】【課題】  電子レンジとオーブンの機能を具えてなるとともに、構造が簡単で、電磁波の発生手段が内部空間において大きな空間を占めることがない混合式電子オーブンレンジを提供する。【解決手段】  本体と、本体の長手方向の片側面に設けられたガラス扉フレームと、電磁波が外部に流出することを防ぐため、本体の上面と底面にそれぞれ設けられたネット状の上、下方遮断マスクと、上方遮断マスクの上方に設けられた複数の上方電熱管と、本体の内側の上面に設けられた電磁波発生手段に対応する位置に形成された電磁波導入口と、下方遮断マスクの下方に設けられた複数の下方電熱管とを含んでなり、ガラス扉フレームは、内部フレームと、外部フレームとを含んでなり、内部空間に隣接する内部フレームのガラスがメッキ加工されているため、電磁波が外部に流出することを防ぎ、金属材質のフィルムからなる鏡面を具えている。【選択図】  図３
0003138483.tif 000002
【実用新案登録請求の範囲】
【請求項１】
本体と、
該本体の長手方向の片側面に設けられたガラス扉フレームと、
電磁波が外部に流出することを防ぐため、該本体の上面と底面にそれぞれ設けられたネット状の上方、下方遮断マスクと、
該上方遮断マスクの上方に設けられた複数の上方電熱管と、
該本体の内側の上面に設けられた電磁波発生手段に対応する位置に形成された電磁波導入口と、
該下方遮断マスクの下方に設けられた複数の下方電熱管と、を含んでなり、
該ガラス扉フレームは、内部フレームと、外部フレームとを含んでなり、内部空間に隣接する内部フレームのガラスがメッキ加工されているため、電磁波が外部に流出することを有効に防ぎ、金属材質のフィルムからなる鏡面を具えたガラスであることを特徴とする混合式電子オーブンレンジ。
【請求項２】
前記本体の内部空間の底部に設けられた下方電熱管と下方遮断マスクの上方に、下方電熱管の光線を上方の食物に下から上に照射するようにするとともに、食物のカスや汚れなどを清掃するために便利で透明な結晶体を具えたガラスが設けられることを特徴とする請求項１に記載の混合式電子オーブンレンジ。
【請求項３】
前記透明な結晶体を具えたガラスが、下方遮断マスクの表面に貼着することを特徴とする請求項２に記載の混合式電子オーブンレンジ。
【請求項４】
前記上方遮断マスクが、凹状を呈し、凹溝の間に電磁波発生手段に対応した電磁波導入口が設けられることを特徴とする請求項１または２に記載の混合式電子オーブンレンジ。
【考案の詳細な説明】
【技術分野】
【０００１】
この考案は、電子オーブンレンジに関し、特に電子レンジとオーブンと二つの機能を備えた混合式電子オーブンレンジに関する。
【背景技術】
【０００２】
現在、市場で販売されている混合式電子オーブンレンジは、図１に開示するように、内部フレーム２１と、外部フレーム２２とを含んでなるガラス扉フレーム２を具えてなる。
【０００３】
該内部フレーム２１は、その多くが細かいネット上の遮断マスク２１２を採用し、ネット状の遮断マスク２１２及び内部空間に隣接するガラスで電磁波が外部に漏れることを防いでいる。
【０００４】
また、製品のほとんどにはいずれも、上下に電熱管が設けられているため、電子波が電熱管上に照射することを防ぐため、上、下マスクが設けられている。
【０００５】
さらに、電子オーブンレンジの内部の食物のカスなどをきれいにするため、くず取りプレートが設けられ、電磁波の導入口が内部空間の側面に設けられる。
【０００６】
従来の電子オーブンレンジは、上述の構造からなる電子レンジの機能、オーブンの機能を使用する過程において発生する問題を解決し、電磁波の照射と、加熱で食物を温める、焼くなどの調理を可能にして、有効にエネルギーを節減した。
【０００７】
しかしながら、従来の製品にはいくつかの問題点がある。例えば、扉の内部フレームは、細かいネット状のカバーを設けるとともに、内部空間に隣接する部分にガラスを設けるため構造が複雑になる。
【０００８】
また、内部空間に発生する食物のカスなどを清掃するために設けたくず取りプレートは、ユーザーが内部空間を清掃するために便利である。しかしながら、該くず取りプレートは、カバーの下方に設けるため、該カバーを凹状に形成しなければならない。よって、下方のカバーの掃除が従来の製品と同様に難しく不便になる。
【０００９】
さらに、電磁波の導入口は内部空間の側面に設けられるが、上下カバーが凹状に形成されているため、電磁波が一部照射されない部分が発生し、均一に食物などを調理することができない。
【考案の開示】
【考案が解決しようとする課題】
【００１０】
この考案は、電子レンジとオーブンの機能を具えてなるとともに、構造が簡単で、電磁波の発生手段が内部空間において大きな空間を占めることがない混合式電子オーブンレンジを提供することを課題とする。
【課題を解決するための手段】
【００１１】
そこで、本考案者は従来の技術に見られる欠点に鑑みて鋭意研究を重ねた結果、容器を含んでなり、本体と、
該本体の長手方向の片側面に設けられたガラス扉フレームと、
電磁波が外部に流出することを防ぐため、該本体の上面と底面にそれぞれ設けられたネット状の上方、下方遮断マスクと、
該上方遮断マスクの上方に設けられた複数の上方電熱管と、
該本体の内側の上面に設けられた電磁波発生手段に対応する位置に形成された電磁波導入口と、
該下方遮断マスクの下方に設けられた複数の下方電熱管と、を含んでなり、
該ガラス扉フレームは、内部フレームと、外部フレームとを含んでなり、内部空間に隣接する内部フレームのガラスがメッキ加工されているため、電磁波が外部に流出することを有効に防ぎ、金属材質のフィルムからなる鏡面を具えたガラスである構造からなる混合式電子オーブンレンジによって課題を解決できる点に着眼し、かかる知見に基づいて本考案を完成させた。
【００１２】
以下、この考案について具体的に説明する。
請求項１に記載の混合式電子オーブンレンジは、本体と、
該本体の長手方向の片側面に設けられたガラス扉フレームと、
電磁波が外部に流出することを防ぐため、該本体の上面と底面にそれぞれ設けられたネット状の上方、下方遮断マスクと、
該上方遮断マスクの上方に設けられた複数の上方電熱管と、
該本体の内側の上面に設けられた電磁波発生手段に対応する位置に形成された電磁波導入口と、
該下方遮断マスクの下方に設けられた複数の下方電熱管と、を含んでなり、
該ガラス扉フレームは、内部フレームと、外部フレームとを含んでなり、内部空間に隣接する内部フレームのガラスがメッキ加工されているため、電磁波が外部に流出することを有効に防ぎ、金属材質のフィルムからなる鏡面を具えたガラスである。
【００１３】
請求項２に記載の混合式電子オーブンレンジは、請求項１における本体の内部空間の底部に設けられた下方電熱管と下方遮断マスクの上方に、下方電熱管の光線を上方の食物に下から上に照射するようにするとともに、食物のカスや汚れなどを清掃するために便利で透明な結晶体を具えたガラスが設けられる。
【００１４】
請求項３に記載の混合式電子オーブンレンジは、請求項２における透明な結晶体を具えたガラスが、下方遮断マスクの表面に貼着する。
【００１５】
請求項４に記載の混合式電子オーブンレンジは、請求項１、２における上方遮断マスクが、凹状を呈し、凹溝の間に電磁波発生手段に対応した電磁波導入口が設けられる。
【考案の効果】
【００１６】
この考案による混合式電子オーブンレンジは、構造が簡単であるため、内部の清掃が簡単で便利であるとともに、製造コストを節減することができるという効果を有する。
【考案を実施するための最良の形態】
【００１７】
この考案は、電子レンジとオーブンの機能を具えてなるとともに、構造が簡単で、電磁波の発生手段が内部空間において大きな空間を占めることがない混合式電子オーブンレンジであって、本体と、該本体の長手方向の片側面に設けられたガラス扉フレームと、電磁波が外部に流出することを防ぐため、該本体の上面と底面にそれぞれ設けられたネット状の上方、下方遮断マスクと、該上方遮断マスクの上方に設けられた複数の上方電熱管と、該本体の内側の上面に設けられた電磁波発生手段に対応する位置に形成された電磁波導入口と、該下方遮断マスクの下方に設けられた複数の下方電熱管と、を含んでなり、該ガラス扉フレームは、内部フレームと、外部フレームとを含んでなり、内部空間に隣接する内部フレームのガラスがメッキ加工されているため、電磁波が外部に流出することを有効に防ぎ、金属材質のフィルムからなる鏡面を具えたガラスである混合式電子オーブンレンジの構造と特徴を詳述するために具体的な実施例を挙げ、図示を参照にして以下に説明する。
【実施例】
【００１８】
図２及び図３は、この考案の混合式電子オーブンレンジを開示したものである。図面によれば、本体１と、該本体１の長手方向の片側面に設けられたガラス扉フレーム２と、電磁波が外部に流出することを防ぐため該本体１の上面と底面とにそれぞれ設けられたネット状の上方、下方遮断マスク３、４と、該上方遮断マスク３の上方に設けられた複数の上方電熱管５と、該本体１の内側の上面に設けられた電磁波発生手段に対応する位置に形成された電磁波導入口６と、下方遮断マスク４の下方に設けられた複数の下方電熱管７と、を含んでなる。
【００１９】
該ガラス扉フレーム２は、内部フレーム２１と、外部フレーム２２とを含んでなる。該内部フレーム２１のガラスは、内部空間に隣接し、メッキ加工するため、電磁波が外部に流出することを有効に防ぐとともに、金属性のフィルム２１１からなる鏡面を具えてなる。
【００２０】
上述の本体１は、内部空間の底部に設けられた下方電熱管７と下方遮断マスク４の上方に、下方電熱管７の光線が上方の食物の表面へ下から上へ照射するようにするとともに、食物のカスや汚れなどの清掃に便利で、透明な結晶体を具えたガラス８の汚れを清掃するために便利である。
【００２１】
前述の透明な結晶体を具えたガラス８は、下方遮断マスク４の表面に貼着される。また、該上方遮断マスク３は、凹状に成形され、凹溝が電磁波発生手段の電磁波導入口６に対応する位置に設けられる。
【００２２】
図１に開示するように、従来の混合式電子オーブンレンジのガラス扉フレーム２は、外部フレーム２２と内部フレーム２１とに分けられる。通常の混合式電子オーブンレンジは、内部フレーム２１の側面に電磁波が外部に流出することを防ぐネット状の遮断マスク２１２を具えてなり、本体の内部空間に隣接する側面に一枚のガラスを設けてなる。
【００２３】
一方、図２に開示するように、この考案の混合式の電子オーブンレンジは、内部フレーム２１は、内部空間に隣接する側面がメッキ加工されて金属製のフィルム２１１の鏡面を具えたガラスから形成される。
【００２４】
よって、電磁波が内部方向に反射され、外部に流出することを防ぐことができる。前述のように、この考案の混合式電子オーブンレンジは、内部フレーム２１の細かいネット状の遮断マスク２１２を設ける必要がないため、製品を加工するコストを節減することができる。
【００２５】
図３に開示するように、内部空間に設ける上方遮断マスク３は、二つの凹溝の間に電磁波導入口６が設けられる。よって、電磁波が内部空間の上方の電磁波導入口６を通過して内部空間に進入し、食物に照射されて焼くなどの調理を実施することができる。
【００２６】
上述の通り、上から下へ電磁波を照射して調理する方法を採用しているため、遮断マスクが凹状に形成されているために電磁波が届きにくい場所が発生することを適宜に防ぐことができる。
【００２７】
また、下方電熱管７、下方遮断マスク４の上方には、透明な結晶体を具えたガラス８が設けられる。該ガラス８は、下方電熱管７から発生した光線が通過することができるため、光線の熱エネルギーが減少することがない。
【００２８】
該ガラス８が設けられている。よって、内部で調理した食物のカスや、油汚れなどが直接、ガラス８上に落ちるため、下方遮断マスク４に落ちることがない。このため、ガラス８を清潔するだけでよい進歩的な清掃方法であって、ユーザーに便利で、ユーザーが操作する場合の不便さを低減することができる。
【００２９】
上述のように、この考案の混合式電子オーブンレンジは、従来の瀬品に比べて、構造が簡単で、調理面での効果も理想的で、エネルギーを十分に利用することができる。また、使用において、清掃し難いなどの問題を有効に解決した。
【００３０】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００３１】
【図１】従来の混合式電子オーブンレンジの扉フレームを示した説明図である。
【図２】この考案の混合式電子オーブンレンジの扉フレームを示した説明図である。
【図３】この考案の混合式電子オーブンレンジの電磁波導入部分と透明な結晶体を具えたガラスとを示した説明図である。
【符号の説明】
【００３２】
１       本体
２       ガラス扉フレーム
２１     内部フレーム
２１１   フィルム
２１２   遮断マスク
２２     外部フレーム
３       上方遮断マスク
４       下方遮断マスク
５       上方電熱管
６       電磁波導入口
７       下方電熱管
８       ガラス
【図１】
0003138483.tif 000003
【図２】
0003138483.tif 000004
【図３】
0003138483.tif 000005